(57)【要約】      （修正有）【課題】弦楽器に対する十分なクリーンアップを行えるようにするとともに、利便性や面白みを向上させて多様性及び趣味性を高めるクリーンアップブラシの提供。【解決手段】ブラシボディ２に刷毛部３及びグリップ部４を有するクリーンアップブラシ１を構成するに際して、ブラシボディ２の全体を弦楽器の外観形状に似せて形成し、弦楽器の楽器ボディ部に相当する部位Ｘａに第一刷毛部３ｆを設け、かつ弦楽器のヘッド部に相当する部位Ｘｂに第二刷毛部３ｓを設けるとともに、弦楽器のネック部に相当する部位Ｘｃをグリップ部４として形成する。【選択図】図１
0003115305.tif 000002
【実用新案登録請求の範囲】
【請求項１】
ブラシボディに刷毛部及びグリップ部を設けてなるクリーンアップブラシにおいて、前記ブラシボディの全体を弦楽器の外観形状に似せて形成し、弦楽器の楽器ボディ部に相当する部位に第一刷毛部を設け、かつ弦楽器のヘッド部に相当する部位に第二刷毛部を設けるとともに、弦楽器のネック部に相当する部位をグリップ部として形成してなることを特徴とするクリーンアップブラシ。
【請求項２】
前記第二刷毛部のブラシ毛は、前記第一刷毛部のブラシ毛に対して異なる材質のブラシ毛を用いることを特徴とする請求項１記載のクリーンアップブラシ。
【請求項３】
前記楽器ボディ部に相当する部位には、開閉式の物入部を設けることを特徴とする請求項１記載のクリーンアップブラシ。
【考案の詳細な説明】
【技術分野】
【０００１】
本考案は、ブラシボディに刷毛部及びグリップ部を設けてなるクリーンアップブラシに関する。
【背景技術】
【０００２】
一般に、埃等を払ってクリーンアップを行うためのクリーンアップブラシは知られており、例えば、実開平７−２４１２９号公報には、ブラシ台部およびハンドル部が楠材によって構成され、少なくともブラシ台部は、楠材面が露出され、かつハンドル部には内面に楠材面が露出するような複数の貫通部が形成された洋服ブラシが開示されている。
【特許文献１】実開平７−２４１２９号
【考案の開示】
【考案が解決しようとする課題】
【０００３】
しかし、上述した洋服ブラシをはじめ、従来のクリーンアップブラシは次のような問題点があった。
【０００４】
第一に、通常、クリーンアップブラシは、ブラシボディに、刷毛部とグリップ部（ハンドル部）を有するため、刷毛部には、用途に合った最適なブラシ毛、例えば、上述した洋服ブラシでは、洋服にとって最適なブラシ毛が用いられる。ところで、エレキギター等の弦楽器の場合、楽器ボディ部のように単調な平坦面或いは曲面を有する外観部分や弦が張られる比較的複雑な機構部分もあるため、一般的な汎用性を有するクリーンアップブラシ（単一の刷毛部）では十分にクリーンアップできない。
【０００５】
第二に、クリーンアップブラシは、単なるクリーンアップを行うためのブラシ機能に留まり、これ以上の異なる他の機能が付加されていないため、利便性や面白みに欠けるなど、多様性及び趣味性に劣る。
【０００６】
本考案は、このような背景技術に存在する課題を解決したクリーンアップブラシの提供を目的とするものである。
【課題を解決するための手段】
【０００７】
本考案は、上述した課題を解決するため、ブラシボディ２に刷毛部３及びグリップ部４を設けてなるクリーンアップブラシ１を構成するに際して、ブラシボディ２の全体を弦楽器の外観形状に似せて形成し、弦楽器の楽器ボディ部に相当する部位Ｘａに第一刷毛部３ｆを設け、かつ弦楽器のヘッド部に相当する部位Ｘｂに第二刷毛部３ｓを設けるとともに、弦楽器のネック部に相当する部位Ｘｃをグリップ部４として形成してなることを特徴とする。
【０００８】
この場合、考案の好適な態様により、第二刷毛部３ｓのブラシ毛Ｈｓは、第一刷毛部３ｆのブラシ毛Ｈｆに対して異なる材質のブラシ毛を用いることが望ましい。また、楽器ボディ部に相当する部位Ｘａには、開閉式の物入部５を設けることができる。
【考案の効果】
【０００９】
このような構成を有する本考案に係るクリーンアップブラシ１によれば、次のような顕著な効果を奏する。
【００１０】
（１）  弦楽器の楽器ボディ部に相当する部位Ｘａに第一刷毛部３ｆを設け、かつ弦楽器のヘッド部に相当する部位Ｘｂに第二刷毛部３ｓを設けるとともに、弦楽器のネック部に相当する部位Ｘｃをグリップ部４として形成してなるため、単調な平坦面或いは曲面を有する外観部分や弦が張られる比較的複雑な機構部分からなるエレキギター等の弦楽器に対しても、第一刷毛部３ｆと第二刷毛部３ｓを使い分けることにより、十分なクリーンアップを行うことができる。
【００１１】
（２）  ブラシボディ２の全体を弦楽器の外観形状に似せて形成したため、単なるクリーンアップを行うためのブラシ機能に留まることなく、利便性や面白みを向上させることができるなど、多様性及び趣味性に優れる。
【００１２】
（３）  好適な態様により、第二刷毛部３ｓのブラシ毛Ｈｓに、第一刷毛部３ｆのブラシ毛Ｈｆに対して異なる材質のブラシ毛を用いれば、弦楽器に対して、より緻密で的確なクリーンアップを行うことができる。
【００１３】
（４）  好適な態様により、楽器ボディ部に相当する部位Ｘａに、開閉式の物入部５を設ければ、弦楽器の付属品や工具類等の弦楽器のメンテナンスに必要な各種物品を収容することができ、より利便性を高めることができる。
【考案を実施するための最良の形態】
【００１４】
次に、本考案に係る最良の実施形態を挙げ、図面に基づき詳細に説明する。
【００１５】
まず、本実施形態に係るクリーンアップブラシ１の構成について、図１〜図４を参照して説明する。
【００１６】
クリーンアップブラシ１はブラシボディ２を備える。ブラシボディ２は、図２に示すように、全体を弦楽器の外観形状に似せて形成する。例示の弦楽器はエレキギターである。したがって、ブラシボディ２は、エレキギターの楽器ボディ部に相当する部位Ｘａと、エレキギターのヘッド部に相当する部位Ｘｂと、エレキギターのネック部に相当する部位Ｘｃを備える。
【００１７】
このため、少なくともブラシボディ２の上面には、図２に示すように、エレキギターの外観形状に似せた印刷（デザイン）を施す。この場合、ブラシボディ２の上面は、平坦面に形成して必要な印刷を施してもよいし、必要により凹凸を付してもよい。また、ブラシボディ２は、木材、特に、弦楽器を製造する際に発生する廃木材を利用して製作することが望ましく、全体の大きさは、ギターケースやギターバッグの中やこれらに付いているポケット等に収容できる大きさとすることが望ましい。
【００１８】
一方、図１に示すように、ブラシボディ２の下面であって、楽器ボディ部に相当する部位Ｘａには、第一刷毛部３ｆを設けるとともに、弦楽器のヘッド部に相当する部位Ｘｂには、第二刷毛部３ｓを設ける。この場合、第二刷毛部３ｓのブラシ毛Ｈｓは、第一刷毛部３ｆのブラシ毛Ｈｆに対して異なる材質のブラシ毛を用いる。具体的には、第一刷毛部３ｆのブラシ毛Ｈｆは、比較的柔らかいブラシ毛を使用し、図３に示すように、比較的広い面積に設けることにより、特に、埃等を拭き払うことができるように考慮する。これに対して、第二刷毛部３ｓのブラシ毛Ｈｓは、比較的硬いブラシ毛を使用し、図３に示すように、比較的狭い面積に設けることにより、特に、第一刷毛部３ｆでは拭き払うことができない狭い隙間等に長期にわたって付着した埃等を除去できるように考慮する。このため、第二刷毛部３ｓにおけるブラシ毛Ｈｓの長さは、第一刷毛部３ｆにおけるブラシ毛Ｈｆの長さよりも長くするなど、ブラシ毛の長さは任意に選定できる。このように、第二刷毛部３ｓのブラシ毛Ｈｓに、第一刷毛部３ｆのブラシ毛Ｈｆとは異なる材質のブラシ毛を用いれば、弦楽器に対して、より緻密で的確なクリーンアップを行うことができる。
【００１９】
さらに、ブラシボディ２における弦楽器のネック部に相当する部位Ｘｃは、グリップ部４として形成する。したがって、このネック部に相当する部位Ｘｃは、デザイン性を重視するよりも、手で持ち易い等の機能性を重視することが望ましい。このため、断面を比較的大径としたり、円形或いは楕円形に形成したり、或いは表面に滑り止めを施すなどの必要な要素を付加することができる。
【００２０】
他方、ブラシボディ２における楽器ボディ部に相当する部位Ｘａの厚さは、図１に示すように、他の部位Ｘｂ及びＸｃに対して厚く形成することにより、内部に、開閉式の物入部５を設ける。この場合、図４に示すように、部位Ｘａの端面部から内部に偏平な直方体形状となる収容凹部１１を形成し、この収容凹部１１に引出形式（スライド形式）の引出ケース部１２を挿入する。また、部位Ｘａの端面部に露出する引出ケース部１２の側面部は、部位Ｘａの形状に連続させるとともに、当該側面部には、エレキギターのエンドピンに似せたつまみ部１３を取付ける。なお、図４は基本形態のみを示しているが、必要により、引出ケース部１２が無用に離脱しないように、クリック機構，ストッパ機構又はキー機構等を付加することができる。
【００２１】
次に、本実施形態に係るクリーンアップブラシ１の使用方法について、図１〜図６を参照して説明する。
【００２２】
まず、クリーンアップブラシ１は、前述したように、その大きさを選定することにより、ギターケースやギターバッグの中やこれらに付いているポケット等に収容して携帯することができる。
【００２３】
そして、クリーンアップブラシ１を使用する際は、グリップ部４を手で持ち、一般的なクリーンアップブラシと同様に使用することができる。この際、第一刷毛部３ｆのブラシ毛Ｈｆは、比較的柔らかいブラシ毛を使用し、かつ比較的広い面積に設けるため、例えば、図５に示すように、エレキギターのネック部３１や楽器ボディ部等における平坦面或いは曲面のクリーンアップに用いることができ、これにより、比較的軽い埃等を拭き払うことができる。なお、図５中、３２は弦を示す。
【００２４】
一方、第二刷毛部３ｓのブラシ毛Ｈｓは、比較的硬いブラシ毛を使用し、かつ比較的狭い面積に設けるため、例えば、図６に示すように、エレキギターの弦巻部３４等の弦が張られる比較的複雑な機構部分のクリーンアップに用いることができ、これにより、第一刷毛部３ｆでは拭き払うことができない狭い隙間等に長期にわたって付着した埃等を除去することができる。なお、図６中、３２は弦，３３はエレキギターのヘッド部を示す。
【００２５】
他方、物入部５には、メンテナンス等に必要な物品、例えば、小型のレンチ類、小型のドライバ類、ミニペンチ等を収容することができるとともに、エレキギターの付属品を収容することもできる。図４は、エレキギターの付属品であるピック２１，予備の弦２２を収容した状態を示している。この物入部５は、図４に示すように、つまみ部１３を手で持つことにより、引出ケース部１２を収容凹部１１に対して出し入れすることができる。図４中、仮想線で示す引出ケース部１２は、収容凹部１１から引き出した状態を示している。このように、物入部５には、弦楽器の付属品や工具類等の弦楽器のメンテナンスに必要な各種物品を収容することができ、より利便性を高めることができる。
【００２６】
よって、このようなクリーンアップブラシ１によれば、弦楽器の楽器ボディ部に相当する部位Ｘａに第一刷毛部３ｆを設け、かつ弦楽器のヘッド部に相当する部位Ｘｂに第二刷毛部３ｓを設けるとともに、弦楽器のネック部に相当する部位Ｘｃをグリップ部４として形成してなるため、単調な平坦面或いは曲面を有する外観部分や弦が張られる比較的複雑な機構部分からなるエレキギター等の弦楽器に対しても、第一刷毛部３ｆと第二刷毛部３ｓを使い分けることにより、十分なクリーンアップを行うことができる。また、ブラシボディ２の全体を弦楽器の外観形状に似せて形成したため、単なるクリーンアップを行うためのブラシ機能に留まることなく、利便性や面白みを向上させることができるなど、多様性及び趣味性に優れる。
【００２７】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【００２８】
例えば、ブラシボディ２の全体をエレキギターの外観形状に似せて形成した場合を示したが、バイオリンやマンドリン等の他の各種弦楽器の外観形状を適用することができる。また、ブラシボディ２は、木材を利用した場合を例示したが、プラスチック等の他の材料を用いても勿論よい。一方、第二刷毛部３ｓのブラシ毛Ｈｓに、第一刷毛部３ｆのブラシ毛Ｈｆに対して異なる材質のブラシ毛を用いた場合を示したが、同一の材質を用いる場合を排除するものではない。なお、ブラシ毛とは、純粋な毛を意味するものではなく、要は埃等を拭き払うことができればよく、例えば、細い布を集めたものや埃等を吸着する素材等も含めた概念である。さらに、楽器ボディ部に相当する部位Ｘａに、開閉式の物入部５を設けた場合を示したが、必ずしも物入部５を設ける必要はないとともに、物入部５は他の構造により実施することも可能である。
【図面の簡単な説明】
【００２９】
【図１】本考案の最良の実施形態に係るクリーンアップブラシの側面図、
【図２】同クリーンアップブラシの平面図、
【図３】同クリーンアップブラシの底面図、
【図４】同クリーンアップブラシにおける物入部の構成を示す側面断面図、
【図５】同クリーンアップブラシにおける第一刷毛部の使用説明図、
【図６】同クリーンアップブラシにおける第二刷毛部の使用説明図、
【符号の説明】
【００３０】
１    クリーンアップブラシ
２    ブラシボディ
３    刷毛部
３ｆ  第一刷毛部
３ｓ  第二刷毛部
４    グリップ部
５    物入部
Ｈｆ  ブラシ毛
Ｈｓ  ブラシ毛
Ｘａ  楽器ボディ部に相当する部位
Ｘｂ  ヘッド部に相当する部位
Ｘｃ  ネック部に相当する部位
【図１】
0003115305.tif 000003
【図２】
0003115305.tif 000004
【図３】
0003115305.tif 000005
【図４】
0003115305.tif 000006
【図５】
0003115305.tif 000007
【図６】
0003115305.tif 000008